(57)【要約】【課題】災害発生後に通話を行っていない通信端末を所有する被災者についても安否確認を行う。【解決手段】災害情報を受信した第１の通信端末５０Ａでは、自機の動作が動作記録部５２により記録され、第１の通信端末５０Ａの動作に関する情報として安否確認システム１０に含まれるネットワーク制御装置２０に送信される。第１の通信端末５０Ａから送信される動作に関する情報は安否情報として安否情報保持部２２において保持され、第２の通信端末５０Ｂから第１の通信端末５０Ａへの通信要求を受信した場合には、この安否情報に基づいて通知安否情報作成部２５において作成された通知安否情報が第２の通信端末５０Ｂに送信される。したがって、第１の通信端末５０Ａの所有者が災害発生後に一度も通話を行っていない場合でも、第２の通信端末５０Ｂに対して通知安否情報が送信される。【選択図】図１
2009303199.tif 000002
【特許請求の範囲】
【請求項１】
移動体通信網に接続して通信を行う通信端末と、災害時に第１の通信端末の安否情報を、当該第１の通信端末との通信要求を送信した第２の通信端末に対して、移動体通信網を介して通知する安否確認システムと、を含んで構成される移動通信システムであって、
前記第１の通信端末は、
前記災害に関する災害情報を受信する災害情報受信手段と、
自機の動作を記録する動作記録手段と、
前記災害情報受信手段により前記災害情報が受信されたことに基づいて、前記動作記録手段により記録された自機の動作に関する情報を、移動体通信網を介して前記安否確認システムに送信する端末動作送信手段と、
を備え、
前記安否確認システムは、
前記第１の通信端末から送信される当該第１の通信端末の動作に関する情報を受信する端末動作受信手段と、
前記端末動作受信手段により受信された前記第１の通信端末の動作に関する情報を、当該第１の通信端末の安否情報として保持する安否情報保持手段と、
前記第２の通信端末から送信される前記第１の通信端末との通信要求を受信する通信要求受信手段と、
前記通信要求受信手段により受信された前記通信要求に基づいて、前記安否情報保持手段で保持する前記安否情報を参照し、前記第１の通信端末の安否情報に基づいて、前記第２の通信端末に通知するための通知安否情報を作成する通知安否情報作成手段と、
前記通知安否情報作成手段により作成された前記通知安否情報を、前記第２の通信端末通信端末に通知する安否情報通知手段と、
を備えることを特徴とする移動通信システム。
【請求項２】
前記動作記録手段は、自機が移動した場合に、その移動を自機の動作として記録することを特徴とする請求項１記載の移動通信システム。
【請求項３】
前記動作記録手段は、前記災害情報受信手段が前記災害情報を受信したのを契機に自機の動作を記録することを特徴とする請求項１又は２記載の移動通信システム。
【請求項４】
前記安否確認システムは、
前記通信要求受信手段において受信された前記第２の通信端末から送信される前記第１の通信端末との通信要求に基づいて、前記第１の通信端末への接続を行う端末接続手段をさらに備え、
前記安否情報通知手段は、前記端末接続手段において前記第１の通信端末への接続ができない場合に前記第２の端末に前記通知安否情報を通知することを特徴とする請求項１〜３のいずれか一項に記載の移動通信システム。
【請求項５】
前記第１の通信端末は、
伝言メッセージを前記安否確認システムに送信する伝言メッセージ送信手段をさらに備え、
前記安否確認システムは、
前記第１の通信端末から送信された前記伝言メッセージを受信し、他の通信端末からの伝言メッセージ配信要求により当該他の端末に対して前記伝言メッセージを送信する伝言メッセージ配信手段をさらに備え、
前記安否情報保持手段は、前記伝言メッセージ配信手段により受信された前記伝言メッセージを、当該第１の通信端末の安否情報としてさらに保持することを特徴とする請求項１〜４のいずれか一項に記載の移動通信システム。
【請求項６】
移動体通信網に接続して通信を行う通信端末と、災害時に第１の通信端末の安否情報を、当該第１の通信端末との通信要求を送信した第２の通信端末に対して、移動体通信網を介して通知する安否確認システムと、を含んで構成される移動通信システムにおける第１の通信端末であって、
前記災害に関する災害情報を受信する災害情報受信手段と、
自機の動作を記録する動作記録手段と、
前記災害情報受信手段により前記災害情報が受信されたことに基づいて、前記動作記録手段により記録された自機の動作に関する情報を、移動体通信網を介して前記安否確認システムに送信する端末動作送信手段と、
を備えることを特徴とする第１の通信端末。
【請求項７】
災害時に移動体通信網に接続して通信を行う通信端末のうち第１の通信端末の安否情報を、当該第１の通信端末との通信要求を送信した第２の通信端末に対して、移動体通信網を介して通知する安否確認システムであって、
前記第１の通信端末から送信される当該第１の通信端末の動作に関する情報を受信する端末動作受信手段と、
前記端末動作受信手段により受信された前記第１の通信端末の動作に関する情報を、当該第１の通信端末の安否情報として保持する安否情報保持手段と、
前記第２の通信端末のいずれかから送信される前記第１の通信端末との通信要求を受信する通信要求受信手段と、
前記通信要求受信手段により受信された前記通信要求に基づいて、前記安否情報保持手段で保持する前記安否情報を参照し、前記第１の通信端末の安否情報に基づいて、前記第２の通信端末に通知するための通知安否情報を作成する通知安否情報作成手段と、
前記通知安否情報作成手段により作成された前記通知安否情報を、前記第２の通信端末通信端末に通知する安否情報通知手段と、
を備えることを特徴とする安否確認システム。
【発明の詳細な説明】
【技術分野】
【０００１】
本発明は、移動通信システム、及び当該移動通信システムを構成する通信端末、安否確認システムに関する。
【背景技術】
【０００２】
地震等の大規模災害が発生した際には、その災害が発生した地域にいる被災者の安否を気遣う家族や知人等の第三者が、被災者の所有する通信端末に電話連絡をすることが多い。しかしながら、被災状況や通信端末の電池消費の状況等によっては、被災者との通話ができない場合が多く、適切に安否確認することはできない状況が多々発生する。また、電話連絡による安否確認の需要が災害の発生した特定の地域に集中するため、輻輳が発生する可能性もある。このため、より効率的に被災者の安否確認を行う方法が検討されている。
【０００３】
これに対して、特許文献１では、被災地域にある通信端末の災害発生後の通信履歴を記録しておき、その通信端末に対して発信を行おうとしている他の通信端末に対して、当該通信端末の通信履歴を通知することによる安否確認方法が開示されている。
【先行技術文献】
【特許文献】
【０００４】
【特許文献１】特開２００７−１６６２７５号公報
【発明の概要】
【発明が解決しようとする課題】
【０００５】
しかしながら、特許文献１記載の安否確認方法では、災害発生後に一度も通信を行っていない通信端末については、その履歴が残らないため、例えば通話を行うことができないような状況下にある被災者の安否を確認することができないという問題がある。
【０００６】
本発明は上記を鑑みてなされたものであり、災害発生後に通話を行っていない通信端末を所有する被災者についても安否確認を行うことができる移動通信システム、通信端末及び安否確認システムを提供することを目的とする。
【課題を解決するための手段】
【０００７】
上記目的を達成するため、本発明に係る移動通信システムは、移動体通信網に接続して通信を行う通信端末と、災害時に第１の通信端末の安否情報を、当該第１通信端末との通信要求を送信した第２の通信端末に対して、移動体通信網を介して通知する安否確認システムと、を含んで構成される移動通信システムであって、第１の通信端末は、災害に関する災害情報を受信する災害情報受信手段と、自機の動作を記録する動作記録手段と、災害情報受信手段により災害情報が受信されたことに基づいて、動作記録手段により記録された自機の動作に関する情報を、移動体通信網を介して安否確認システムに送信する端末動作送信手段と、を備え、安否確認システムは、第１の通信端末から送信される当該第１の通信端末の動作に関する情報を受信する端末動作受信手段と、端末動作受信手段により受信された第１の通信端末の動作に関する情報を、当該第１の通信端末の安否情報として保持する安否情報保持手段と、第２の通信端末から送信される第１の通信端末との通信要求を受信する通信要求受信手段と、通信要求受信手段により受信された通信要求に基づいて、安否情報保持手段で保持する安否情報を参照し、第１の通信端末の安否情報に基づいて、第２の通信端末に通知するための通知安否情報を作成する通知安否情報作成手段と、通知安否情報作成手段により作成された通知安否情報を、第２の通信端末通信端末に通知する安否情報通知手段と、を備えることを特徴とする。
【０００８】
また、本発明に係る第１の通信端末は、移動体通信網に接続して通信を行う通信端末と、災害時に第１の通信端末の安否情報を、当該第１の通信端末への通信要求を送信した第２の通信端末に対して、移動体通信網を介して通知する安否確認システムと、を含んで構成される移動通信システムにおける第１の通信端末であって、災害に関する災害情報を受信する災害情報受信手段と、自機の動作を記録する動作記録手段と、災害情報受信手段により災害情報が受信されたことに基づいて、動作記録手段により記録された自機の動作に関する情報を、移動体通信網を介して安否確認システムに送信する端末動作送信手段と、を備えることを特徴とする。
【０００９】
また、本発明に係る安否確認システムは、災害時に第１の通信端末から移動体通信網に接続することにより送信される安否情報を、当該第１の通信端末への通信要求を送信した第２の通信端末に対して、移動体通信網を介して通知する安否確認システムであって、第１の通信端末から送信される当該第１の通信端末の動作に関する情報を受信する端末動作受信手段と、端末動作受信手段により受信された第１の通信端末の動作に関する情報を、当該第１の通信端末の安否情報として保持する安否情報保持手段と、第２の通信端末のいずれかから送信される第１の通信端末との通信要求を受信する通信要求受信手段と、通信要求受信手段により受信された通信要求に基づいて、安否情報保持手段で保持する安否情報を参照し、第１の通信端末の安否情報に基づいて、第２の通信端末に通知するための通知安否情報を作成する通知安否情報作成手段と、通知安否情報作成手段により作成された通知安否情報を、第２の通信端末通信端末に通知する安否情報通知手段と、を備えることを特徴とする。
【００１０】
上記の移動通信システムにおいて、災害情報を受信した第１の通信端末では、災害情報が受信されたことに基づいて、動作記録手段において記録された第１の通信端末の動作に関する情報が、安否確認システムに送信される。安否確認システムでは、第１の通信端末から送信される情報が安否情報として保持され、第２の通信端末から第１の通信端末への通信要求が送信された場合には、安否確認システムで保持されている安否情報に基づいて通知安否情報が作成されて、通信要求を送信した第２の通信端末に対して送信される。この結果、第１の通信端末の動作に関する情報を元に作成された通知安否情報が、通信要求を送信した第２の通信端末に対して送信されるため、第１の通信端末の所有者が災害発生後に一度も通話を行っていない場合であっても、通信要求を行った第２の通信端末に対して通知安否情報を送信することができる。
【００１１】
また、上記移動通信システムに含まれる第１の通信端末において、動作記録手段は、自機が移動した場合に、その移動を自機の動作として記録する態様としてもよい。
【００１２】
上記のように自機の移動を動作として記録し、第１の通信端末の動作に関する情報として安否確認システムに送信する機能を備えることにより、第１の通信端末の所有者が第１の通信端末に対して操作を行わなくても、第１の通信端末の安否情報が安否確認システムに保持されるため、災害時において第１の通信端末の動作に関する情報を安否情報としてより広く収集することができ、第１の通信端末に対する通信要求があった際にも通知安否情報を適切に提供することができる。
【００１３】
また、上記移動通信システムに含まれる第１の通信端末において、動作記録手段は、災害情報受信手段が災害情報を受信したのを契機に自機の動作を記録する態様とすることができる。
【００１４】
この場合、動作記録手段は、災害情報の受信を契機に自機の動作の記録を開始することから、効率よく第１の通信端末の動作に関する情報を記録することができる。
【００１５】
また、安否確認システムは、通信要求受信手段において受信された第２の通信端末から送信される第１の通信端末との通信要求に基づいて、第１の通信端末への接続を行う端末接続手段をさらに備え、安否情報通知手段は、端末接続手段において第１の通信端末への接続ができない場合に第２の端末に通知安否情報を通知する態様とすることができる。
【００１６】
この場合、端末接続手段において第１の通信端末への接続が確立できる場合には、第１の通信端末と第２の通信端末との間で通信を行うことができ、接続が確立できない場合には通知安否情報が第２の通信端末に通知される。したがって、第２の通信端末から送信される通信要求に対して、移動体通信網の状況や通信端末及びその所有者の状況等に応じて、より適切に通知安否情報を第２の通信端末に通知することができる。
【００１７】
さらに、第１の通信端末は、伝言メッセージを安否確認システムに送信する伝言メッセージ送信手段をさらに備え、安否確認システムは、第１の通信端末から送信された伝言メッセージを受信し、他の通信端末からの伝言メッセージ配信要求により当該他の端末に対して伝言メッセージを送信する伝言メッセージ配信手段をさらに備え、安否情報保持手段は、端末動作受信手段により受信された第１の通信端末の動作に関する情報と、伝言メッセージ配信手段により受信された伝言メッセージと、を、当該第１の通信端末の安否情報として保持する態様としてもよい。
【００１８】
移動通信システムを上記の態様とすることにより、第１の通信端末から能動的に送信された伝言メッセージが安否情報として保持される。したがって、第２通信端末に対して送信される通知安否情報として、第１の通信端末の所有者からの伝言メッセージを含むことができるため、より正確な通知安否情報を第２の通信端末に送信することができる。
【発明の効果】
【００１９】
本発明によれば、通信端末の動作の情報が安否情報として用いられることから、災害発生後に通話を行っていない通信端末を所有する被災者についても安否確認を行うことができる移動通信システム、通信端末及び安否確認システムが提供される。
【図面の簡単な説明】
【００２０】
【図１】本発明の実施形態に係る移動通信システムの構成と、それらの接続関係を示す図である。
【図２】本発明の実施形態における通信端末のハードウェア構成を示す図である。
【図３】本発明の実施形態におけるネットワーク制御装置、災害伝言板システム、及び、交換機のハードウェア構成を示す図である。
【図４】第１実施形態に係る移動通信システムによる安否確認処理のうち、安否確認システムにおいて通信端末の安否情報が保持されるまでの処理を説明するシーケンス図である。
【図５】通信端末における伝言メッセージ登録画面の一例を示す図である。
【図６】災害伝言板システムにおける伝言メッセージと識別番号の対応を示す図である。
【図７】第１実施形態に係る移動通信システムによる安否確認処理のうち、通信端末５０Ｂから通信端末５０Ａに対する通信要求が送信された場合の処理の一例を説明するシーケンス図である。
【図８】安否情報保持部において保持されている安否情報を示す図である。
【図９】通知安否情報識別番号と、音声ガイダンスとして通知する通知安否情報の対応を示す図である。
【図１０】伝言メッセージ登録の有無及び動作情報の有無に基づいた通知安否情報識別番号の選択方法を示す図である。
【図１１】第１実施形態に係る移動通信システムによる安否確認処理のうち、通信端末５０Ｂから通信端末５０Ａに対する通信要求が送信された場合の処理の他の例を説明するシーケンス図である。
【図１２】第２実施形態に係る移動通信システムによる安否確認処理を説明するシーケンス図（前半）である。
【図１３】第２実施形態に係る移動通信システムによる安否確認処理を説明するシーケンス図（後半）である。
【図１４】第３実施形態に係る移動通信システムによる安否確認処理を説明するシーケンス図である。
【図１５】第４実施形態に係る移動通信システムによる安否確認処理を説明するシーケンス図である。
【図１６】第４実施形態に係る移動通信システムによる安否確認処理の変形例を説明するシーケンス図である。
【発明を実施するための形態】
【００２１】
以下、図面とともに本発明の好適な実施形態について詳細に説明する。なお、図面の説明においては同一要素には同一符号を付し、重複する説明を省略する。
【００２２】
（第１実施形態）
図１は本発明の第１実施形態に係る移動通信システム１００の構成と、それらの接続関係を示す図である。移動通信システム１００は、移動体通信網Ｎに含まれる安否確認システム１０及び交換機４０（４０Ａ，４０Ｂ）と、移動体通信網Ｎに接続して移動体通信を行う複数の通信端末５０Ａ，５０Ｂと、を含んで構成される。安否確認システム１０は、ネットワーク制御装置（Service Control Point：ＳＣＰ）２０と、災害伝言板システム３０とを含んで構成される。なお、移動体通信網Ｎは、交換機４０とネットワーク制御装置２０とを含んで構成される。また、本実施形態では、通信端末５０Ａ，５０Ｂが３Ｇ（3rd Generation：第３世代）方式を利用して移動体通信網Ｎに対して接続して移動体通信を行う場合について説明する。
【００２３】
安否確認システム１０は、複数の通信端末５０Ａ，５０Ｂと交換機４０Ａ，４０Ｂを介して接続され、通信端末５０Ａとの通信要求を送信した通信端末５０Ｂに対して、通信端末５０Ａの安否情報を送信するシステムである。ここで通信端末５０Ｂから送信される通信要求とは、通信端末５０Ａとの間で音声通信を行うために呼接続の確立を移動体通信網Ｎに対して要求するものであり、通信端末５０Ｂの所有者が通信端末５０Ｂを操作することにより送信される。なお、通信要求により確立される接続は音声通信のためのものでなくてもよく、例えばデータ通信のためのものであってもよい。一方、安否確認システム１０から通信端末５０Ｂに対して送信される通信端末５０Ａの安否情報とは、災害時に、被災者及びこの被災者が所有する通信端末５０Ａがどのような状態にあるかを示す情報である。すなわち、安否確認システム１０は、被災者の安否を心配して通信要求を送信した通信端末５０Ｂの所有者に対して、通信端末５０Ａに代わってその安否状況を通知するシステムである。
【００２４】
安否確認システム１０に含まれるネットワーク制御装置２０は、通信端末５０Ａと通信端末５０Ｂとの間の通信を確立する際のルーティング（通信経路の作成）を行う装置である。また、安否確認システム１０に含まれる災害伝言板システム３０は、災害時に通信端末５０Ａから送信されるテキスト文形式の伝言メッセージを保持しておき、通信端末５０Ａの安否を気遣う他の通信端末５０（例えば通信端末５０Ｂ）から伝言メッセージ配信要求があった際には当該伝言メッセージを配信する機能を有する装置である。上記の機能は、例えば通信網を介した掲示板システムにより実現される。また、ここで通信端末５０Ａから送信される伝言メッセージは、通信端末５０Ａの所有者が不特定多数の相手に自身の安否を伝えたい場合や、他の通信端末５０と通信ができない場合等に用いられる。災害伝言板システム３０における具体的な処理等は後述する。また、ネットワーク制御装置２０は、３Ｇ方式におけるＨＬＲ（home location register）としての機能を有し、通信端末５０（５０Ａ，５０Ｂ）の所有者の契約情報等について格納される。
【００２５】
交換機４０Ａ，４０Ｂは通信端末５０Ａ，５０Ｂ間の無線通信を確立するとともに、通信端末５０Ａ，５０Ｂと安否確認システム１０に含まれるネットワーク制御装置２０及び災害伝言板システム３０との間の無線通信を確立する装置である。なお、図１では安否確認システム１０がネットワーク制御装置２０及び災害伝言板システム３０を含んで構成されていることとしているが、一つの装置の中にこれらの装置が有する機能が含まれる構成であってもよい。交換機４０Ａ，４０Ｂは、３Ｇ方式において、ＭＳＣ（Mobile Switching Center）／ＶＬＲ（Visitor Location Register）として実現される。
【００２６】
また、図１では、安否確認システム１０（ネットワーク制御装置２０及び災害伝言板システム３０）に対して２つの交換機４０Ａ，４０Ｂが接続され、さらに交換機４０Ａに対して通信端末５０Ａが、交換機４０Ｂに対して通信端末５０Ｂがそれぞれ接続されているが、通常は安否確認システム１０には複数の交換機４０が接続され、さらにそれぞれの交換機４０に対して複数の通信端末５０が接続されている。なお、図１では交換機４０及び通信端末５０が複数個ある例として、交換機４０Ａ，４０Ｂ及び通信端末５０Ａ，５０Ｂを図示している。本実施形態においては、通信端末５０Ａが災害時に被災者が所有する第１の通信端末に相当し、通信端末５０Ｂが第１の通信端末との通信要求を送信する第２の通信端末に相当する。ここでは、通信端末５０Ａ，５０ｂを便宜上それぞれ第１の通信端末、第２の通信端末としているが、いずれの通信端末５０も第１又は第２の通信端末となりうる。
【００２７】
上記の移動通信システム１０において、安否確認システム１０を構成するネットワーク制御装置２０と災害伝言板システム３０との間、ネットワーク制御装置２０と交換機４０との間、交換機４０Ａと交換機４０Ｂとの間は、それぞれ有線のネットワークを介して接続されている。また、交換機４０Ａと通信端末５０Ａとの間、交換機４０Ｂと通信端末５０Ｂとの間は、それぞれ無線通信により情報の交換が行われる。
【００２８】
続いて、移動通信システム１００に含まれる各装置の詳細について説明する。なお、以降の説明においては、「安否情報」とは、通信端末５０Ａから安否確認システム１０に対して送信されることにより安否確認システム１０において保持される、通信端末５０Ａの状況を示す情報のことをいう。また、安否確認システム１０から通信端末５０Ｂに対して送信される通信端末５０Ａの状況を示す情報を「通知安否情報」という。通知安否情報は、通信端末５０Ａから安否確認システム１０に送信される複数の安否情報に基づいて、通信端末５０Ａの安否状況をより正確に示す情報として作成される。
【００２９】
まず、通信端末５０Ａについて説明する。通信端末５０Ａは、ユーザ（通信端末５０Ａの所有者）により用いられて、移動体通信網Ｎに接続して無線通信を行うための装置であり、具体的には、例えば携帯電話等の通信機能を有する装置として実現される。図１に示すように、通信端末５０Ａは、災害情報受信部５１と、動作記録部５２と、動作情報送信部５３と、伝言メッセージ送信部５４と、を含んで構成される。
【００３０】
災害情報受信部５１は、災害発生時にこの災害に関する情報を受信する災害情報受信手段として機能する。災害情報とは、例えば、地震や台風等の災害が発生した場合に、災害による被害が及ぶ地域に在圏する通信端末に対して、配信サーバ等から配信される情報であり、例えば、「４月１日１０時２５分に東京湾沖を震源とする震度６の地震が発生した」旨を示す緊急地震速報等の情報が該当する。災害情報受信部５１において災害情報を受信した場合、当該災害情報を通信端末５０Ａの所有者に通知すると共に、災害情報を受信した旨を動作記録部５２に通知する。
【００３１】
動作記録部５２は、災害情報受信部５１が災害情報を受信したのを契機として自機の動作を記録する動作記録手段として機能する。具体的には、動作記録部５２は、例えば加速度センサー、ＧＰＳ機能、ボタン押下げ等の端末操作の記録手段等により構成され、災害情報受信部５１より災害情報を受信した旨を通知された時点から一定時間（例えば、５分間）起動することにより、自機の移動のほか、所有者による通信端末５０Ａの操作（ボタン押下等）等を通信端末５０Ａの動作に関する情報（動作情報）として記録する。通信端末５０Ａの動作情報は、例えば、加速度センサーにより取得される情報の場合には、移動の検出（加速度の検出）の有無と、移動が検出された場合にはその時刻が対応付けられて記録される。また、端末操作の記録手段により取得される情報の場合には、押下されたボタン、押下された時刻等がそれぞれ対応付けられて記録される。動作記録部５２において記録された動作情報は、動作情報送信部５３に送られる。
【００３２】
動作情報送信部５３は、動作記録部５２において記録された通信端末５０Ａの動作情報を、移動体通信網Ｎを介して安否確認システム１０に送信する端末動作送信手段として機能する。具体的には、動作情報送信部５３から安否確認システム１０に含まれるネットワーク制御装置２０に対して送られる。
【００３３】
伝言メッセージ送信部５４は、災害伝言板システム３０に通信端末５０Ａの所有者の被災状況等をテキスト文の伝言メッセージとして登録するために、当該伝言メッセージを災害伝言板システム３０に送信する伝言メッセージ送信手段として機能する。この伝言メッセージの作成及び災害伝言板システム３０への送信指示は、通信端末５０Ａの所有者の通信端末５０Ａに対する操作によって行われる。
【００３４】
通信端末５０は、図２に示すように、ＣＰＵ５０１、ＲＡＭ５０２、ＲＯＭ５０３、操作部５０４、無線通信部５０５、ディスプレイ５０６、アンテナ５０７により構成されている。これらの構成要素が動作することにより、上述した通信端末５０Ａの機能が発揮される。
【００３５】
次に、安否確認システム１０に含まれるネットワーク制御装置２０について説明する。ネットワーク制御装置２０は、通信端末５０Ａと通信端末５０Ｂとの間の通信を確立する際のルーティングを行う装置である。また、ネットワーク制御装置２０は、通信端末５０Ａから送信される安否情報を保持し、通信端末５０Ｂから通信端末５０Ａとの通信要求が送信された場合に、通信端末５０Ａの通知安否情報を通信端末５０Ｂに対して通知する機能を備える。
【００３６】
図１に示すように、ネットワーク制御装置２０は、端末動作受信部２１と、安否情報保持部２２と、通信要求受信部２３と、端末接続部２４と、通知安否情報作成部２５と、安否情報通知部２６と、を含んで構成される。
【００３７】
端末動作受信部２１は、交換機４０Ａを介して通信端末５０Ａから送信される通信端末５０Ａの動作に関する情報を受信する端末動作受信手段として機能する。端末動作受信部２１において受信された通信端末５０Ａの動作情報は、安否情報保持部２２に送られる。
【００３８】
安否情報保持部２２は、端末動作受信部２１から送られる通信端末５０Ａの動作情報と、災害伝言板システム３０から送信される通信端末５０Ａの伝言メッセージ登録の有無と、を通信端末５０Ａに関する安否情報として保持する安否情報保持手段として機能する。安否情報保持部２２では、安否情報が通信端末毎に保持され、後述の通知安否情報作成部２５が通知安否情報を作成する際に用いられる。
【００３９】
通信要求受信部２３は、交換機４０Ｂを介して通信端末５０Ｂから送信される通信端末５０Ａとの通信要求を受信する通信要求受信手段として機能する。通信要求受信部２３が受信した通信要求は、端末接続部２４及び通知安否情報作成部２５に送られる。
【００４０】
端末接続部２４は、通信要求受信部２３において受信された通信端末５０Ｂによる通信端末５０Ａとの通信要求に基づいて、通信端末５０Ｂと通信端末５０Ａとの間の接続を行う端末接続手段として機能する。具体的には、ネットワーク制御装置２０に接続する交換機４０Ａに対して、通信端末５０Ａの通信状況等を確認させ、その応答を元にルーティング（通信経路の形成）を行い、通信端末５０Ｂが接続する交換機４０Ｂにルーティング情報を通知すると共に、ルーティングが正常である旨を安否情報通知部２６に通知する。また、交換機４０Ａの応答結果により、通信端末５０Ａとの接続を成立することができないことが確認された場合にも、その結果を安否情報通知部２６に通知する。
【００４１】
通知安否情報作成部２５は、通信要求受信部２３において受信された通信端末５０Ｂによる通信端末５０Ａとの通信要求に基づいて、通信端末５０Ｂに通知するための通信端末５０Ａの安否情報（通知安否情報）を作成する通知安否情報作成手段として機能する。通知安否情報作成部２５は、安否情報保持部２２で保持されている通信端末５０Ａの安否情報を参照して、通信端末５０Ｂに対して優先的に通知すべき情報を選択し、通知安否情報を作成する。通知安否情報の作成の具体的な処理については後述する。通知安否情報作成部２５において作成された通知安否情報は、安否情報通知部２６に送られる。
【００４２】
安否情報通知部２６は、通知安否情報作成部２５において作成された通知安否情報を通信端末５０Ｂに送信する安否情報通知手段として機能する。具体的には、端末接続部２４から通知される通信端末５０Ａとの接続可否結果が接続不可である場合には、通信端末５０Ｂに対して通信端末５０Ａの通知安否情報を通知するよう、交換機４０Ｂに指示を行う。
【００４３】
次に、安否確認システム１０に含まれる災害伝言板システム３０について説明する。災害伝言板システム３０は、災害発生時に、被災者（例えば通信端末５０Ａの所有者）が通信端末５０Ａの情報（例えば電話番号）と共に自身の被災状況等を伝言メッセージとして登録しておくことにより、災害伝言板システム３０にアクセスした他の通信端末（例えば通信端末５０Ｂ）に対して伝言メッセージを配信することにより安否状況を提供するという機能を有する。災害伝言板システム３０は、伝言メッセージ登録部３１と伝言メッセージ通知部３２とを含んで構成される。
【００４４】
伝言メッセージ登録部３１は、交換機４０Ａを介して通信端末５０Ａから送信された伝言メッセージを受信して保持すると共に、他の通信端末５０からの伝言メッセージの配信要求に応じて、通信端末５０Ａの伝言メッセージを送信する伝言メッセージ配信手段として機能する。さらに、伝言メッセージ登録部３１は、通信端末５０Ａから送信された伝言メッセージに関する情報（本実施形態では、伝言メッセージの内容に対応した識別番号）を、ネットワーク制御装置２０に送信する。その具体的な処理については、後述する。
【００４５】
伝言メッセージ通知部３２は、交換機４０Ｂを介して通信端末５０Ｂからネットワーク制御装置２０に通信端末５０Ａとの通信要求があった場合に、伝言メッセージ登録部３１で保持している通信端末５０Ａの登録した伝言メッセージを音声変換して通知安否情報として交換機４０Ｂを介して通信端末５０Ｂに通知する安否情報通知手段としての機能を備える。伝言メッセージの音声変換は、一般的なテキスト文の音声変換に用いられる周知の技術によって行うことができる。
【００４６】
交換機４０（交換機４０Ａ，４０Ｂ）は、ネットワーク制御装置２０の指示にしたがって、交換機４０に接続する複数の通信端末５０と通信を行って、他の通信端末５０との接続やサーバ等とのデータ受渡しを行う機能を備える。また、ネットワーク制御装置２０の指示にしたがって、他の交換機４０（例えば交換機４０Ａと交換機４０Ｂとの間）との間で通信を行うことにより、異なる交換機４０に接続する通信端末５０の間の通信を行う機能を有する。
【００４７】
上述のネットワーク制御装置２０、災害伝言板システム３０、及び、交換機４０は、図３に示すように、ＣＰＵ（Central Processing Unit）１０１、主記憶装置であるＲＡＭ（Random Access Memory）１０２及びＲＯＭ（Read Only Memory）１０３、通信を行うための通信モジュール１０４、並びにハードディスク等の補助記憶装置１０５等のハードウェアを備えるコンピュータとして構成される。そして、これらの構成要素が動作することにより、上述した各装置２０，３０，４０の各機能が発揮される。
【００４８】
続いて、本実施形態に係る移動通信システム１００による安否情報の保持及び通知を、図４、図７、及び図１１のシーケンス図を用いて詳細に説明する。
【００４９】
最初に、図４のシーケンス図を用いて、移動通信システム１００を構成する安否確認システム１０（ネットワーク制御装置２０及び災害伝言板システム３０）に対して、通信端末５０Ａが交換機４０Ａを介して情報（動作情報及び伝言メッセージ）を送信することによって、安否確認システム１０において安否情報が保持されるまでの処理について説明する。
【００５０】
まず、災害地域において在圏している通信端末５０Ａは、災害発生時に配信サーバより送信される災害情報を災害情報受信部５１により受信する（Ｓ１００）。災害情報受信部５１は、受信した災害情報をディスプレイ５０６に表示する等により、通信端末５０Ａの所有者に通知すると共に、動作記録部５２に対して災害情報を受信した旨を通知する。
【００５１】
次に、通信端末５０Ａにおいて、災害情報の受信が通知されると、動作記録部５２によって自機の動作の記録が開始され（Ｓ１０１）、一定時間（例えば、５分間）経過した後終了される（Ｓ１０２）。動作記録部５２が、災害情報受信部５１より災害情報を受信した旨を通知された時点から一定時間起動することにより、例えば、自機の移動のほか、所有者による通信端末５０Ａの操作（ボタン押下げ等）等が記録される。動作記録部５２において自機の動作が動作情報として記録された場合には、動作記録部５２から動作情報送信部５３に当該動作情報が渡される。ここで、例えば加速度センサー等の自機の移動を動作情報として検出する手段を備えている場合には、所有者による通信端末５０Ａの操作が全く無い場合であっても、所有者の移動に伴う通信端末５０Ａの移動についても動作情報として記録することができるため、通信端末５０Ａについてより細かい動作情報を取得することができる。なお、自機の移動を検出する他の手段として、例えばＧＰＳを用いた位置情報等を用いることもできる。
【００５２】
通信端末５０Ａにおいて記録された動作情報は、動作情報送信部５３から交換機４０Ａを介してネットワーク制御装置２０に対して送信される（Ｓ１０３ａ，Ｓ１０３ｂ）。ここで、動作情報をネットワーク制御装置２０に送信する方法としては、例えば一定時間動作情報を記録した後に、自動的にネットワーク制御装置２０に送信する方法がある。また、動作情報をネットワーク制御装置２０に送信する他の方法として、通信端末５０Ａの位置登録要求信号に当該動作情報を添付して送信する方法がある。この場合は、通常行われる位置登録に係る情報の送受信を用いて動作情報の送信が行われることから、通信端末５０Ａの動作情報の送信に伴う新たな通信が発生しないという効果がある。
【００５３】
ネットワーク制御装置２０に送信された通信端末５０Ａの動作情報は、端末動作受信部２１において受信され、安否情報保持部２２に送られる。安否情報保持部２２では、動作情報の送信元である通信端末５０Ａを特定する情報（例えば、電話番号）と当該動作情報とを関連付けて、通信端末５０Ａの安否情報として保持する（Ｓ１０４）。以上の処理によって、通信端末５０Ａの動作情報を安否情報として保持する処理が終了する。
【００５４】
なお、通信端末５０Ａにおいて一定時間の間に自機の操作や移動がなく、動作情報が記録されなかった場合には、端末動作情報の送信（Ｓ１０３）及びその保持（Ｓ１０４）は行われない態様としてもよいし、動作記録部５２は一定時間稼動したものの、動作情報が記録されなかったという情報をネットワーク制御装置２０に送信する態様としてもよい。
【００５５】
次に、通信端末５０Ａから、災害伝言板システム３０への伝言メッセージ登録がさらに行われる場合について説明する。災害伝言板システム３０への伝言メッセージ登録は、通信端末５０Ａの所有者が通信端末５０Ａを操作することにより行われ、通信端末５０Ａの所有者の安否を気遣う他の通信端末５０の所有者に対する伝言メッセージを登録するものである。
【００５６】
まず、通信端末５０Ａの所有者は、通信端末５０Ａを用いて災害伝言板への登録メッセージを作成する（Ｓ１１０）。伝言メッセージの作成は、伝言メッセージ送信部５４において、例えば図５に示すような画面を操作することによって行われる。図５に示す伝言メッセージの登録画面では、例えば、「状態」の下に示されるように、「無事です。」「被害があります。」「自宅に居ます。」「避難所に居ます。」の４つの定型文から選択して登録をできるほか、「コメント」のように自由文を登録することもできる。このようにして、伝言メッセージ送信部５４において作成された伝言メッセージは、伝言メッセージ送信部５４から災害伝言板システム３０に対して交換機４０Ａを介して送信される（Ｓ１１１ａ，Ｓ１１１ｂ）。
【００５７】
災害伝言板システム３０では、伝言メッセージ登録部３１において受信された伝言メッセージは、伝言メッセージ登録部３１において通信端末５０Ａの電話番号と対応付けて保持される（Ｓ１１２）。また、通信端末５０Ａの電話番号を指定することによって、通信端末５０Ａの伝言メッセージに関する問い合わせを受信した際には、問い合わせを行った通信端末５０に対して通信端末５０Ａの伝言メッセージを配信する（Ｓ１１３）ことにより、災害用伝言板としての機能を発揮する。また、ネットワーク制御装置２０に対して、通信端末５０Ａにより伝言メッセージの登録情報を送信する（Ｓ１１４）。ここで、伝言メッセージ登録部３１では、図６に示すような伝言メッセージの内容のそれぞれに対応した識別番号表をあらかじめ保持し、通信端末５０Ａの電話番号と、通信端末５０Ａの登録した伝言メッセージに対応した識別番号をネットワーク制御装置２０に送信する。例えば、通信端末５０Ａが「無事です。」という伝言メッセージを登録した場合には、識別番号「０１」がネットワーク制御装置２０に通知される。また、通信端末５０Ａが自由文を伝言メッセージ登録部３１に登録した場合には、識別番号「９９」がネットワーク制御装置２０に通知される。このように災害伝言板システム３０からネットワーク制御装置２０に対して、通信端末５０Ａの電話番号と、伝言メッセージの種類を示す識別番号が送られるので、ネットワーク制御装置２０ではこれらを受信し、安否情報保持部２２において保持する（Ｓ１１５）
【００５８】
以上により、安否確認システム１０における通信端末５０Ａの安否情報の保持に係る処理が終了する。なお、通信端末５０Ａにおいて、所有者が災害伝言板システム３０に対して伝言メッセージの登録操作を行わなかった場合には、上記の処理（Ｓ１１０〜Ｓ１１５）は行われない。
【００５９】
次に、図７のシーケンス図を用いて、通信端末５０Ｂから通信端末５０Ａとの通信要求が送信された場合の処理の一例を説明する。なお、図７のシーケンス図の処理を行う前提として、通信端末５０Ａからはあらかじめ動作情報がネットワーク制御装置２０に対して送信され安否情報として保持されている（Ｓ１００〜Ｓ１０４）と共に、災害伝言板システム３０に対して伝言メッセージの登録がなされている（Ｓ１１０〜Ｓ１１５）とする。また、通信端末５０Ａは、伝言メッセージとして、自由文を登録しているとする。
【００６０】
通信端末５０Ａは、ネットワークの輻輳、電池切れ、あるいは所有者が電話に出られない等により、応答できない状態になっている（Ｓ２００）。
【００６１】
一方、通信端末５０Ｂは、通信端末５０Ａとの通信要求を送信する（Ｓ２０１）。通信端末５０Ｂから送信された通信端末５０Ａとの通信要求は交換機４０Ｂを介して（Ｓ２０２ａ）、ネットワーク制御装置２０に対して送信される（Ｓ２０２ｂ）。ネットワーク制御装置２０では、通信要求受信部２３において通信端末５０Ａとの通信要求を受信する（Ｓ２０３）と、端末接続部２４に通知し通信端末５０Ｂと通信端末５０Ａとの間のルーティング（通信経路の確立）を指示する。端末接続部２４は、当該指示に従い、通信端末５０Ａが接続する交換機４０Ａに対してルーティング情報の払出しを要求する（Ｓ２０４）。
【００６２】
交換機４０Ａは、ネットワーク制御装置２０からのルーティング払出し要求にしたがって、通信端末５０Ａの移動体通信網Ｎへの接続状況の確認（ページング）を行う（Ｓ２０５）。しかしながら、通信端末５０Ａは応答不可状態（Ｓ２００）であり、交換機４０Ａによるページングは規制されるか又は無応答となり、ページングを行うことができない。このため、交換機４０Ａは、接続不可であることをネットワーク制御装置２０に報告する（Ｓ２０６）。この報告を受信した端末接続部２４は、接続不可であることを安否情報通知部２６に伝える。
【００６３】
一方、通信要求受信部２３では、通信端末５０Ａとの通信要求を受信した旨が通知安否情報作成部２５に通知され、通信端末５０Ａに関する通知安否情報の作成が指示される。通知安否情報作成部２５では、当該指示にしたがって、安否情報保持部２２で保持している通信端末５０Ａの安否情報に基づいて、通信端末５０Ｂに通知するための通信端末５０Ａに関する通知安否情報の作成が行われる（Ｓ２０７）。
【００６４】
ここで、通知安否情報作成部２５において通信端末５０Ａに関する通知安否情報を作成する際の具体的な処理について、図８〜図１０を用いて説明する。通知安否情報作成部２５では、安否情報保持部２２を参照し、通信端末５０Ａに関する安否情報を取得する。安否情報保持部２２では、図８に示すように、通信端末５０の電話番号に対応して、災害伝言板システム３０から送信される伝言メッセージ登録情報と、通信端末５０から送信される自機の動作情報とが関連付けて保持されている。伝言メッセージ登録情報としては、登録の有無（「あり」又は「なし」）と、登録が「あり」の場合には災害伝言板システム３０から通知される伝言メッセージの識別番号が併せて保持される。また、動作情報としては、通信端末５０から動作情報の送信の有無（「あり」又は「なし」）とが記載されている。また、図８における通知安否情報の識別番号とは、伝言メッセージ登録の有無及び動作情報の有無に基づいて最優先で通知すべき通知安否情報を示す識別番号である。なお、図８では、電話番号毎に通知安否情報の識別番号が全て付与されているが、通知安否情報作成部２５において後述の処理を行うことにより、付与される。この通知安否情報は、図９に示すように、音声ガイダンスとして通知すべき通知安否情報に対応付けて付与される。図９に示す通知安否情報の意識別番号と音声ガイダンスとを対応付けた表は、ネットワーク制御装置２０及び交換機４０（４０Ａ，４０Ｂ）において保持され、通知安否情報を通信端末５０に通知する際に用いられる。
【００６５】
図１０に、伝言メッセージ登録の有無及び動作情報の有無に基づいた通知安否情報識別番号の選択方法を示す。まず、安否情報保持部２２において通信端末５０の伝言メッセージが登録されているかどうか判定する（Ｓ２２１）。
【００６６】
伝言メッセージが登録されている場合は、当該登録情報（伝言メッセージ）が自由文であるか、すなわち災害伝言板システム３０から識別番号「９９」が指定されているか、により区別する（Ｓ２２２）。識別番号が「９９」以外である場合、すなわち「０Ｘ」（本実施形態において、Ｘは１〜４のいずれか）である場合には、通知安否情報識別番号「０Ｘ」を用いることを決定する（Ｓ２２４）。通知安否情報識別番号「０Ｘ」とは、図９に示すように、災害伝言板システム３０において用いられる定型文（図６）と同じであり、災害伝言板システム３０に対して通信端末５０が登録した定型文と同じ内容が通知安否情報として用いられることを示す。また、識別番号「９９」である場合には、通知安否情報識別番号「９９」を用いることを決定する（Ｓ２２５）。通知安否情報識別番号「９９」の場合、通信端末５０が災害伝言板システム３０に対して自由文を登録したことはネットワーク制御装置２０において把握しているが、具体的な内容についてはネットワーク制御装置２０では把握していないことから、図９に示すように災害伝言板システム３０に対して伝言メッセージの通知を指示するという処理が行われる。
【００６７】
安否情報保持部２２において通信端末５０の伝言メッセージが登録されていない場合には、次に安否情報保持部２２において通信端末５０からの動作情報を保持されているかについて判定を行う（Ｓ２２３）。通信端末５０の動作情報が保持されている場合には、通知安否情報識別番号「２０」を用いることを決定する（Ｓ２２６）。この場合には、図９に示すように、通信端末５０の移動があった旨を通知するような通知安否情報を作成する。また、通信端末５０の動作情報が保持されていない場合には、通知安否情報識別番号「３０」を用いることを決定する（Ｓ２２７）。この場合には、図９に示すように、通信端末５０からの安否情報が無いことを示すか、又は話中音を通知安否情報として用いることができる。
【００６８】
本実施形態に係る通信端末５０Ａの場合、伝言メッセージとして自由文を登録していることを前提としていることから、図１０にしたがって判定した結果、通知安否情報識別番号「９９」を用いる（Ｓ２２５）ことが決定される。したがって、図９にしたがって、災害伝言板システム３０に伝言メッセージ通知を指示する処理が行われることも併せて示される。
【００６９】
上記の方法により作成（決定）された（Ｓ２０７）通信端末５０Ａの通知安否情報は、あらかじめ確認された接続状況（Ｓ２０４〜Ｓ２０６）と共に、ネットワーク制御装置２０から交換機４０Ｂに対して通知される（Ｓ２０８）。交換機４０Ｂでは、通信端末５０Ｂと通信端末５０Ａとの接続が不可であることを確認すると、通信端末５０Ｂに通知する通知安否情報を確認する。交換機４０Ｂにおいても、上述のように図９に示す通知安否情報識別番号と通知安否情報として通信端末５０Ｂに通知する音声ガイダンスとを対応付けた表を保持しておき、ネットワーク制御装置２０から通知される通知安否情報識別番号に基づいて、通知安否情報を音声ガイダンスとして通信端末５０Ｂに通知する。図７の処理においては、ネットワーク制御装置２０から通知される通知安否情報として、通知安否情報識別番号「９９」が示されていることから、交換機４０Ｂから災害伝言板システム３０に対して、通信端末５０Ａの伝言メッセージの送信指示を送信する（Ｓ２０９）。
【００７０】
災害伝言板システム３０では、伝言メッセージ通知部３２が通信端末５０Ａの伝言メッセージの送信指示を受信すると、伝言メッセージ登録部３１で保持されている伝言メッセージの中から通信端末５０Ａの登録した伝言メッセージを取得し、これを音声化する（Ｓ２１０）。このように伝言メッセージ通知部３２において音声化された伝言メッセージは、交換機４０Ｂを介して通信端末５０Ｂに対して送信される（Ｓ２１１ａ，Ｓ２１１ｂ）。これにより、通信端末５０Ｂにおいて、通信端末５０Ａの通知安否情報として音声化された伝言メッセージを受信する（Ｓ２１２）ことができ、通信端末５０Ｂの所有者はこの音声化された伝言メッセージを聞くことによって通信端末５０Ａの安否状況を知ることができる。これにより、通信端末５０Ａの安否確認に関する処理が終了する。
【００７１】
（第１実施形態の変形例）
次に、図１１のシーケンス図を用いて、通信端末５０Ｂから通信端末５０Ａに対する通信要求が送信された場合の処理の他の例について説明する。なお、図１１のシーケンス図の処理を行う前提として、通信端末５０Ａからは、あらかじめ動作情報がネットワーク制御装置２０に対して送信され、安否情報として保持されている（Ｓ１００〜Ｓ１０４）。しかしながら、災害伝言板システム３０に対して伝言メッセージの登録（Ｓ１１０〜Ｓ１１５）はなされていないとする。また、図７のシーケンス図では通信端末５０Ａは当初から応答不可（Ｓ２００）となっている場合について説明したが、図１１のシーケンス図では通信端末５０Ａは当初応答可能（Ｓ２３０）であり、通信端末５０Ｂとの通信のための接続の途中で応答不可（Ｓ２４０）となった場合について説明する。
【００７２】
通信端末５０Ｂは、通信端末５０Ａとの通信要求を送信する（Ｓ２３１）。通信端末５０Ｂから送信された通信端末５０Ａとの通信要求は交換機４０Ｂを介して（Ｓ２３２ａ）、ネットワーク制御装置２０に送信される（Ｓ２３２ｂ）。ネットワーク制御装置２０では、通信要求受信部２３において通信端末５０Ａとの通信要求を受信する（Ｓ２３３）と、端末接続部２４に通知し通信端末５０Ｂと通信端末５０Ａとの間のルーティング（通信経路の確立）を指示する。端末接続部２４は、当該指示に従い、通信端末５０Ａが接続する交換機４０Ａに対してルーティング情報の払出しを要求する（Ｓ２３４）。
【００７３】
交換機４０Ａは、ネットワーク制御装置２０からのルーティング払出し要求にしたがって、通信端末５０Ａの移動体通信網Ｎへの接続状況の確認を行う（Ｓ２３５）。この結果、通信端末５０Ａは応答可能状態（Ｓ２３０）であることから、交換機４０Ａでは正常にルーティング情報払出しが行われ、その結果がネットワーク制御装置２０に報告される（Ｓ２３６）。この報告を受信した端末接続部２４は、接続状況としてルーティング情報を安否情報通知部２６に伝える。
【００７４】
一方、通信要求受信部２３は、通信端末５０Ａとの通信要求を受信した旨を通知安否情報作成部２５に通知し、通信端末５０Ｂに送信するための通信端末５０Ａの通知安否情報の作成を指示する。通知安否情報作成部２５では、当該指示にしたがって、通知安否情報の作成を行う（Ｓ２３７）。ここで、通信端末５０Ａからは、動作情報がネットワーク制御装置２０に送信されているものの、上述のように災害伝言板システム３０への伝言メッセージの登録が行われていないことから、図１０にしたがって判定した結果、通知安否情報識別番号「２０」を用いる（Ｓ２２６）ことが決定される。
【００７５】
ネットワーク制御装置２０は、上記のように確認を行った通信端末５０Ａとの接続状況（ルーティング情報）と、通知安否情報として通知する音声ガイダンスに対応付けられた通知安否情報識別番号を、安否情報通知部２６から交換機４０Ｂに対して通知する（Ｓ２３８）。
【００７６】
交換機４０Ｂでは、ネットワーク制御装置２０から接続状況として送信されたルーティング情報を元に、交換機４０Ａに対して、通信端末５０Ａとの接続要求を送信する（Ｓ２３９）。しかしながら、通信端末５０Ａは交換機４０Ａの一回目の接続状況の確認（Ｓ２３５）の後、何らかの理由で応答不可となってしまい（Ｓ２４０）、交換機４０Ａからの二回目の接続状況の確認（Ｓ２４１）に対して応答できない。したがって、交換機４０Ａは、通信端末５０Ａとの接続が確立できなかった旨を交換機４０Ｂに通知する（Ｓ２４２）。
【００７７】
交換機４０Ｂでは、交換機４０Ａからの接続不可の報告を受けて、通信端末５０Ｂに対して、図９の通知安否情報識別番号「２０」に対応する「被災後、ご自身で移動ができる状態です」という通知安否情報を、音声ガイダンスとして通信端末５０Ｂに送信する（Ｓ２４３）。音声ガイダンスによる通知安否情報の送信は、あらかじめ保持されたテキスト文を周知の技術により音声化して送信することにより行うことができるほか、あらかじめ通知安否情報識別番号に対応付けて通知安否情報を音声データとして保存しておき、当該音声データを送信するという態様とすることもできる。通信端末５０Ｂは上記の方法等により交換機４０Ｂより送信された通知安否情報の音声ガイダンスを受信する（Ｓ２４４）。通信端末５０Ｂの所有者はこの音声ガイダンスを聞くことによって通信端末５０Ａ及びその所有者の安否状況を知ることができる。これにより、通信端末５０Ａの安否確認に関する処理が終了する。
【００７８】
（第１実施形態の移動通信システム１００による効果）
以上のように、本実施形態の移動通信システム１００によれば、災害情報を受信した第１の通信端末（通信端末５０Ａ）においては、災害情報の受信を契機として、通信端末５０Ａの動作を記録して、動作情報として安否確認システム１０に含まれるネットワーク制御装置２０に送信することにより、通信端末５０Ａの動作情報が安否情報として保持される。さらに、通信端末５０Ａから、同じく安否確認システム１０に含まれる災害伝言板システム３０に対して伝言メッセージの登録がなされた場合には、当該情報についても、通信端末５０Ａの安否情報として保持される。そして、第２の通信端末（通信端末５０Ｂ）から通信端末５０Ａへの通信要求があった場合であって、通信端末５０Ａとの間の接続が確立できなかった場合には、これらの安否情報に基づいて最適な通知安否情報が作成されて、通信端末５０Ｂが送信される。したがって、通信端末５０Ａの所有者が災害発生後に通信端末５０Ａを用いて通話等を行っていなくても、ネットワーク制御装置２０で保持される安否情報を元に、通信端末５０Ｂに対して通信端末５０Ａの安否情報を通知することができる。また、本実施形態によれば、通信端末５０Ｂの所有者は、通信端末５０Ａの所有者の安否を確認するための特別なシステムに接続することなしに、通信端末５０Ａとの通信要求を行うだけで通信端末５０Ａの所有者の安否を確認することができる。
【００７９】
また、動作記録部５２として、上述の加速度センサー等のように自機の移動を動作情報として記録する手段を備えている場合には、通信端末５０Ａの所有者が通信端末５０Ａに対して操作を行わなくても、所有者と共に通信端末５０Ａが移動した場合にはその移動に関する情報が、通信端末５０Ａの動作情報としてネットワーク制御装置２０に送信されるため、安否情報をより広く収集することができる。
【００８０】
また、本実施形態のように安否確認システム１０に災害伝言板システム３０が含まれる構成である場合には、通信端末５０Ａの所有者が災害伝言板システム３０に対して伝言メッセージを登録した場合には、通信端末５０Ａの所有者が能動的に登録した伝言メッセージを優先して通知安否情報に設定する等の処理を行うことから、より通知安否情報として適切な安否情報を、通信端末５０Ａへの通信要求を行った通信端末５０Ｂに提供することができる。したがって、安否情報を広く収集できると同時に、より精度の高い安否情報を問い合わせの行った通信端末５０Ｂに通知することができる。
【００８１】
さらに、従来は、通信端末５０Ａの所有者の安否を気遣う通信端末５０Ｂの所有者は、通信端末５０Ｂを用いて災害伝言板システム３０に対して伝言メッセージの配信要求を行う操作を行わないと、通信端末５０Ａが登録した伝言メッセージを取得できないという問題があった。これに対して、本実施形態では、通信端末５０Ａとの通信要求を通信端末５０Ｂから送信するだけで、災害伝言板システム３０に通信端末５０Ａが登録した伝言メッセージが用いられ、必要に応じて通信端末５０Ｂに対してこの伝言メッセージが通知されることから、従来の災害伝言板システムと比較して、通信端末５０Ａの登録した伝言メッセージが、他の通信端末５０に対してより幅広く提供される。なお、伝言メッセージは、テキストデータである必要はなく、音声データであってもよい。その場合、伝言メッセージは音声変換等がされることなく、登録された伝言メッセージがそのまま通知安否情報として用いられる。
【００８２】
さらに、本実施形態においては、ネットワーク制御装置２０の端末接続部２４において通信端末５０Ａとの接続可否を判定して、通信端末５０Ａと接続できなかった場合に限って通信端末５０Ａの通知安否情報を通信端末５０Ｂに対して送信する態様をとる。これにより、回線状況等に応じて、通信端末５０Ａとの接続が成立する場合には、通信端末５０Ｂは通信端末５０Ａと直接通信を行うことができる。したがって、通信端末５０Ｂの所有者は、通信端末５０Ａの所有者と直接通信を行うことによってより正確な安否状況の確認を行うことができる。なお、必ずしも上記の構成とする必要はなく、通信端末５０Ｂからの通信要求があった場合に一律に通知安否情報を送信することとしてもよい。
【００８３】
（第２実施形態）
次に、本発明の第２実施形態について説明する。第２実施形態は、第１実施形態と比較して、３Ｇ方式において移動体通信向けのＩＮ（Intelligent Network）サービスを提供するＣＡＭＥＬ（Customized Applications for Mobile Enhanced Logic）が用いられる場合について説明する。このＣＡＭＥＬは、ＩＮを移動体通信に適用し、ＶＨＥ（Virtual Home Environment）を実現するためにＥＴＳＩ（European Telecommunications Standards Institute）において開発された技術であり、コアネットワークに対して適用される。
【００８４】
本実施形態のように、３Ｇ方式の通信様式において、ＣＡＭＥＬが使用される場合、交換機４０（４０Ａ，４０Ｂ）を構成するｇｓｍＳＳＦ（GSM Service Switching Function）が配下の通信端末５０に対してＣＡＭＥＬに係る処理を行う機能（種々のサービスを提供する機能）を有する。また、ＳＣＰとして機能するネットワーク制御装置２０は、ＣＡＭＥＬに係る制御を行うｇｓｍＳＣＦ（GSM Service Control Function）としての機能を備える。ここでいうｇｓｍＳＣＦとしての機能とは、通信端末５０Ａとの通信要求が通信端末５０Ｂから交換機４０Ｂに対して送信された際に、予め交換機４０Ｂに対してＣＡＭＥＬサービスに係る処理を指示する機能である。具体的には、ｇｓｍＳＣＦは、ネットワーク制御装置２０において通信要求を受信した際、交換機４０Ｂに対して着信系サービスの開始を指示し、通信端末５０Ａとの通信が確立できなかった場合に特別な処理（本実施形態では、通知安否情報の送信に係る処理）が発生することを通知する。そして、通信端末５０Ａとの通信が確立できなかった場合には、当該結果を交換機４０Ｂに対して通知することにより、交換機４０Ｂにより通知安否情報（伝言メッセージ）を通信端末５０Ｂに対して送信する処理が行われる。なお、「着信系サービス」とは、例えば、着信時に異なる通信端末に対して着信転送を行う処理や通信端末５０Ａとの間で通信接続が成立しなかった場合の応答処理等のことをいう。
【００８５】
上記の処理を図１２及び図１３に示すシーケンス図を用いて説明する。まず、なお、図１２及び図１３のシーケンス図の処理を行う前提として、第１実施形態と同様に、通信端末５０Ａからはあらかじめ動作情報がネットワーク制御装置２０に対して送信され安否情報として保持されている（Ｓ１００〜Ｓ１０４）と共に、災害伝言板システム３０に対して伝言メッセージの登録がなされている（Ｓ１１０〜Ｓ１１５）とする。また、通信端末５０Ａは、伝言メッセージとして自由文を登録し、災害伝言板システム３０からネットワーク制御装置２０に対して、自由文の伝言メッセージを示す識別番号「９９」が通知されているとする。
【００８６】
まず図１２を用いて安否確認システム１０による処理を含む移動通信システム１００による処理の前半について説明する。通信端末５０Ａは、ネットワークの輻輳、電池切れ、あるいは所有者が電話に出られない等により、応答できない状態になっている（Ｓ３００）。一方、通信端末５０Ｂは、通信端末５０Ａとの通信要求を送信する（Ｓ３０１）。通信端末５０Ｂから送信された通信端末５０Ａとの通信要求は交換機４０Ｂに送信され（Ｓ３０２）、交換機４０Ｂからネットワーク制御装置２０に対して、着信情報読出要求が送信される（Ｓ３０３）。ここで本実施形態のようにＣＡＭＥＬを使用している場合に、交換機４０Ｂからネットワーク制御装置２０に対して送信される着信情報読出要求とは、ネットワーク制御装置２０に含まれるＨＬＲに対して、ＣＡＭＥＬ制御を起動するべきか否かを問い合わせるものである。
【００８７】
通信要求受信部２３は、交換機４０Ｂに対して着信情報読出要求を受信した旨の応答を行う（Ｓ３０４）。このとき、通信要求受信部２３は交換機４０Ｂに対して、ＣＡＭＥＬに関連してｇｓｍＳＣＦへ問合せるよう指示を行う。次に、交換機４０Ｂは、この指示に対応して通信端末５０Ｂに係る処理を行う際に用いるサービス開始指示をネットワーク制御装置２０に対して要求する（Ｓ３０５）。なおここでいう「サービス開始指示要求」とは、通信端末５０Ｂに対してＣＡＭＥＬに基づいて行うサービスに関して具体的な処理の指示を求めるものである。
【００８８】
ネットワーク制御装置２０の通信要求受信部２３において上記のサービス開始指示要求が受信されると、安否情報保持部２２を参照することにより、通信端末５０Ａに対する通信要求を送信した通信端末５０Ｂに対するサービス開始要否確認を行い、以降の処理を継続するかを確認する。具体的には、ネットワーク制御装置２０の安否情報保持部２２に通信端末５０Ａの伝言メッセージが格納されている場合には、通信端末５０Ａは被災地域にいると判断され、以降のサービスを継続して行う必要があると判断される。このように、サービスの提供要否を通信要求受信部２３において判断する（Ｓ３０６）。ここで、通信端末５０Ａの通知安否情報が安否情報保持部２２に格納されている場合には、通信要求受信部２２により通信端末５０Ｂに対する着信系サービスの提供が必要であると判断され、以降の処理が行われる。なお、通信端末５０Ａの通知安否情報が安否情報保持部２２に格納されていない場合には、通信端末５０Ａが被災地域にいないと判断され、通信端末５０Ｂに対する着信系サービスの提供に係る処理は中止される。
【００８９】
通信要求受信部２３は、通信端末５０Ａの通知安否情報が安否情報保持部２２に格納されている場合には、上述のサービス開始指示要求に対する応答を交換機４０Ｂに対して送信する（Ｓ３０７）。さらに、このステップでは、「通信端末５０Ａとの接続が不成立である場合の情報の受信」をイベントとするように、交換機４０Ｂに対して指示がなされる。ここでいう「イベント」とは、上記の着信系サービスを開始する契機となる情報のことをいう。交換機４０Ｂは、ネットワーク制御装置２０からの指示に基づき上記イベントを登録する（記録する）（Ｓ３０８）ことにより、着信系サービスに係る準備の処理を終了し、通信端末５０Ａとの通信要求をネットワーク制御装置２０に含まれるＨＬＲに対して送信する（Ｓ３０９）。
【００９０】
ネットワーク制御装置２０の通信要求受信部２３は、交換機４０Ｂからの通信要求を受信すると、端末接続部２４に通知し通信端末５０Ｂと通信端末５０Ａとの間のルーティング（通信経路の確立）を指示する。端末接続部２４は、当該指示に従い、通信端末５０Ａが接続する交換機４０Ａに対してルーティング情報の払出しを要求する（Ｓ３１０）。交換機４０Ａは、ネットワーク制御装置２０からのルーティング払出し要求にしたがって、通信端末５０Ａの移動体通信網Ｎへの接続状況の確認を行う（Ｓ３１１）。しかしながら、通信端末５０Ａは応答不可状態（Ｓ３００）であるため、交換機４０Ａは、接続不可であることをネットワーク制御装置２０に報告する（Ｓ３１２）。この報告を受信した端末接続部２４は、通信端末５０Ａに対する接続が不可であることを安否情報通知部２６に伝える。
【００９１】
引き続き、図１３を用いて、本発明に係る処理の後半部について説明する。端末接続部２４は、通信端末５０Ａに対する接続が不可であることを交換機４０Ｂに対して報告する（Ｓ３１３）。ここで、交換機４０Ｂでは、ネットワーク制御装置２０から送信された情報（通信端末５０Ａに対する接続が不可であることを示す情報）が上述の登録された「イベント」に合致する場合、「イベント」が発生したことを検出する（Ｓ３１４）。そして、イベントが検出されたことは、交換機４０Ｂからネットワーク制御装置２０に対して通知される（Ｓ３１５）。併せて、交換機４０Ｂからネットワーク制御装置２０に対して以降の処理に係る問い合わせがなされる。
【００９２】
ネットワーク制御装置２０では、交換機４０Ｂからのイベント検出通知を受信すると、通知安否情報作成部２５において通信端末５０Ａに関する通知安否情報が作成される（Ｓ３１６）。ここで、通知安否情報作成部２５において通信端末５０Ａに関する通知安否情報を作成する際の具体的な処理は、図８〜図１０に示される処理と同様である。すなわち第１実施形態において安否情報保持部２２で保持している通信端末５０Ａの安否情報に基づいて通知安否情報が作成される（Ｓ２０７）際の処理と同様である。そして、通知安否情報作成部２５により作成された通知安否情報とともに上記の着信系サービスの開始が交換機ネットワーク制御装置２０から交換機４０Ｂに対して指示される（Ｓ３１７）。
【００９３】
交換機４０Ｂでは、着信系サービスの開始指示を受信すると、サービス開始指示と共に送信される通知安否情報を参照して、災害伝言板システム３０に対して、通信端末５０Ａの伝言メッセージの送信指示を送信する（Ｓ３１８）。そして、災害伝言板システム３０において、通信端末５０Ａの登録した伝言メッセージが取得された後、音声化される（Ｓ３１９）。そして、音声化された伝言メッセージが、交換機４０Ｂを介して通信端末５０Ｂに対して送信される（Ｓ３２０ａ，Ｓ３２０ｂ）。これにより、通信端末５０Ｂにおいて、通信端末５０Ａの通知安否情報として音声化された伝言メッセージを受信する（Ｓ３２１）ことができ、通信端末５０Ｂの所有者はこの音声化された伝言メッセージを聞くことによって通信端末５０Ａの安否状況を知ることができる。これにより、通信端末５０Ａの安否確認に関する処理が終了する。なお、上記の交換機４０Ｂによる伝言メッセージの送信指示の送信から、通信端末５０Ｂにおける音声化された伝言メッセージの受信までの処理（Ｓ３１８〜Ｓ３２１）は、第１実施形態における処理（Ｓ２０９〜Ｓ２１２）と同様に行われる。
【００９４】
ここで、第１実施形態の変形例（図１１に示すシーケンス図）と同様に、通信端末５０Ａは当初応答可能であり、通信端末５０Ｂとの通信のための接続の途中で応答不可となった場合について説明する。この場合、交換機４０Ａに対してルーティング情報払出し要求を送信する（Ｓ３１０）処理までは、本実施形態と同様である。ただし、この時点では通信端末５０Ａと応答可能であるために、ルーティング情報が払い出されるため、その結果がネットワーク制御装置２０から交換機４０Ｂに通知される。そして、この通知に基づいて交換機４０Ｂから交換機４０Ａに対して接続要求を送信することにより通信端末５０Ａとの接続に係る処理が行われる。これらの処理は第１実施形態の変形例と同様である。そして、何らかの理由により、接続途中で応答不可となった（例えばタイムアウトとなった）場合には、その結果に基づいて交換機４０Ａから送信される接続不可の通知を交換機４０Ｂにおいて受信される。交換機４０Ｂでは、この通知を参照し、登録された「イベント」が発生したことを検出（Ｓ３１４）する。以降、本実施形態のシーケンス図（図１３）と同様の処理が行われる。すなわち、「イベント検出」（Ｓ３１４）に基づいて、交換機４０Ｂにおいて着信系サービス（通知安否情報の通知に係る処理）が開始され、音声化された伝言メッセージが通信端末５０Ｂに対して通知される。
【００９５】
上記の第２実施形態のように、コアネットワークにおいてＣＡＭＥＬを使用した場合であっても、第１実施形態と同様に、通信端末５０Ａの所有者が災害発生後に通信端末５０Ａを用いて通話等を行っていなくても、ネットワーク制御装置２０で保持される安否情報を元に、通信端末５０Ｂに対して通信端末５０Ａの安否情報を通知することができる。また、コアネットワークにおいてＣＡＭＥＬを使用している場合には、本実施形態の態様とすることで、コアネットワークにおける安否情報通知に係る処理の実装が容易となる。
【００９６】
（第３実施形態）
続いて、本発明の第３実施形態について説明する。本実施形態では、移動体通信網ＮがＩＭＳ（IP Multimedia Subsystem）を含んで構成される態様について説明する。第３実施形態に係る移動通信システムでは、第１実施形態に係る移動通信システム１００と各機能部の構成は同じであるが、各機能部の機能を実現する装置が異なる。以下、移動通信システム１００に含まれる各装置について、第１実施形態に係る移動通信システム１００と異なる点について説明する。
【００９７】
まず、本実施形態におけるネットワーク制御装置２０は、ＩＭＳにおけるＨＳＳ（Home Subscriber Server）としての機能を有し、移動通信端末の加入者プロファイルを管理する。
【００９８】
そして、通信端末５０（５０Ａ，５０Ｂ）が安否確認システム１０に接続する際に接続する交換機４０（４０Ａ，４０Ｂ）は、ＣＳＣＦ（Cell/Session Control Function）／ＡＳ（Application Server）により実現される。このＣＳＣＦ／ＡＳのうち、ＣＳＣＦは、標準のＩＭＳにおいて、ＳＩＰ（Session Initiation Protocol）メッセージの処理を行う論理ノードであり、ユーザの登録やセッション設定の制御を行う機能を有する。また、ＡＳは、サービスを実装し実効するサービス制御装置としての機能を有する。そして、ネットワーク制御装置２０の指示にしたがって、他の交換機４０（例えば交換機４０Ａと交換機４０Ｂとの間）との間で通信を行うことにより、異なる交換機４０に接続する通信端末５０の間の通信を行う機能を有する。なお、ＩＭＳでは、交換機４０（４０Ａ，４０Ｂ）は、自機の配下の通信端末５０に係る情報の管理は行うものの、他の交換機４０の配下に接続する通信端末５０の通信に係る情報については管理を行わない点が第１実施形態に係る３Ｇ方式と異なる点である。
【００９９】
また、本実施形態における交換機４０（４０Ａ，４０Ｂ）の機能を行うＣＳＣＦ（Cell/Session Control Function）／ＡＳ（Application Server）に対して、ＩＭＳにおける音声ガイダンス送出する論理ノードであるＭＲＦ（IMS Multimedia Resource Function）が接続されている。上記のように、交換機４０としての機能を行うノードが複数に分散している場合もあるが、以下の実施形態では、これらのノードを全て含めて「交換機４０」として説明する。
【０１００】
上記の構成を有する移動通信システムによる安否情報に係る処理について説明する。なお、安否情報に係る処理のうち、安否情報の保持に係る処理については、第１実施形態の移動通信システム１００による安否情報の保持に係る処理（図４参照）と同様に行われる。すなわち、通信端末５０Ａにおいて、災害情報の受信を契機として端末の動作が記録され、この情報が交換機４０Ａを介してネットワーク制御装置２０に対して送信されることにより、端末動作情報が保持される。また、通信端末５０Ａから交換機４０Ａを介して災害伝言板システム３０に対して伝言メッセージが送信されることにより、災害伝言板システム３０において伝言メッセージが保持されると共に、災害伝言板システム３０における伝言メッセージの登録情報がネットワーク制御装置２０に対して通知され、ネットワーク制御装置２０において保持される。
【０１０１】
図１４は、安否情報の通知に係る処理を説明するシーケンス図である。図１４を用いて本実施形態に係る移動通信システム１００による安否情報に係る処理について説明する。
【０１０２】
通信端末５０Ａは、ネットワークの輻輳、電池切れ、あるいは所有者が電話に出られない等により、応答できない状態になっている（Ｓ４００）。一方、通信端末５０Ｂは、通信端末５０Ａとの通信要求を送信する（Ｓ４０１）。通信端末５０Ｂから送信された通信端末５０Ａとの通信要求は交換機４０Ｂに対して送信される（Ｓ４０２）。交換機４０Ｂでは、この通信要求に基づいて、ネットワーク制御装置２０に対して通信端末５０Ａに係る情報の読出要求が行われる（Ｓ４０３）。本実施形態のようなＩＭＳを用いた通信では、第１実施形態における３Ｇ方式による通信と異なり、ネットワーク制御装置２０によるルーティング情報の払出しに係る処理は行われない。ここで、交換機４０Ｂによりネットワーク制御装置２０に対して送信される読出要求とは、通信端末５０Ａに係る在圏情報及び契約情報と、通信端末５０Ａに関してネットワーク制御装置２０において格納される通知安否情報の送信を要求するものである。ネットワーク制御装置２０では、通信要求受信部２３において通信端末５０Ａに係る情報の読出要求を受信する（Ｓ４０４）。
【０１０３】
次に、本実施形態におけるネットワーク制御装置２０では、この通信端末５０Ａに係る情報の読出要求に基づいて、通知安否情報作成部２５において通知安否情報が作成される（Ｓ４０５）。ここで、通知安否情報作成部２５において通信端末５０Ａに関する通知安否情報を作成する際の具体的な処理は、図８〜図１０に示される処理と同様である。すなわち第１実施形態において安否情報保持部２２で保持している通信端末５０Ａの安否情報に基づいて通知安否情報が作成される（Ｓ２０７）際の処理と同様である。そして、通知安否情報作成部２５において作成された通知安否情報は、安否情報通知部２６から交換機４０Ｂに対して情報読出要求に対する応答として送信される（Ｓ４０６）。この際に、通信端末５０Ａの所有者の契約情報や在圏するエリア等の通信端末５０Ａとの接続に用いられる情報も併せてネットワーク制御装置２０から交換機４０Ｂに対して送信される。
【０１０４】
交換機４０Ｂは、ネットワーク制御装置２０から送信され、通知安否情報及び通信端末５０Ａとの接続に用いられる情報が含まれた情報読出要求応答を受信すると、これらの情報に基づいて、通信端末５０Ａが接続する交換機４０Ａに対して接続要求を送信する（Ｓ４０７）。交換機４０Ａは、交換機４０Ｂからの接続要求にしたがって、通信端末５０Ａの移動体通信網Ｎへの接続状況の確認を行う（Ｓ４０８）。しかしながら、通信端末５０Ａは応答不可状態（Ｓ４００）であるため、交換機４０Ａは、接続不可であることを交換機４０Ｂに対して報告する（Ｓ４０９）。
【０１０５】
ここで、交換機４０Ｂでは、伝言メッセージの送信依頼を災害伝言板システム３０に対して送信する（Ｓ４１０）。そして、災害伝言板システム３０において、通信端末５０Ａの登録した伝言メッセージが取得された後、音声化される（Ｓ４１１）。そして、音声化された伝言メッセージが、交換機４０Ｂを介して通信端末５０Ｂに対して送信される（Ｓ４１２ａ，Ｓ４１２ｂ）。これにより、通信端末５０Ｂにおいて、通信端末５０Ａの通知安否情報として音声化された伝言メッセージを受信する（Ｓ４１３）ことができ、通信端末５０Ｂの所有者はこの音声化された伝言メッセージを聞くことによって通信端末５０Ａの安否状況を知ることができる。これにより、通信端末５０Ａの安否確認に関する処理が終了する。なお、上記の交換機４０Ｂによる伝言メッセージの送信指示の送信から、通信端末５０Ｂにおける音声化された伝言メッセージの受信までの処理（Ｓ４１０〜Ｓ４１３）は、第１実施形態における処理（Ｓ２０９〜Ｓ２１２）と同様に行われる。
【０１０６】
上記の第３実施形態のように、通信方式が３ＧがＩＭＳと変更された場合であっても、第１実施形態と同様に、通信端末５０Ａの所有者が災害発生後に通信端末５０Ａを用いて通話等を行っていなくても、ネットワーク制御装置２０で保持される安否情報を元に、通信端末５０Ｂに対して通信端末５０Ａの安否情報を通知することができる。
【０１０７】
なお、上記の説明では、通知安否情報の作成（Ｓ４０５）を、交換機４０Ｂからの情報読出要求の受信（Ｓ４０４）後に行う場合について説明している。しかしながら、上記の段階では通知安否情報の作成を行わずに、交換機４０Ｂが接続不可通知を受けた（Ｓ４０９）の後に、交換機４０Ｂからネットワーク制御装置２０に対して通知安否情報の提供要求を送信し、これに基づいてネットワーク制御装置２０において通知安否情報を作成して交換機４０Ｂに対して送信する態様としてもよい。
【０１０８】
また、上記実施形態の変形例として、交換機４０Ｂが行っている処理の一部を交換機４０Ａが行う態様とすることもできる。その一例を以下に説明する。例えば、上記実施形態では、交換機４０Ａが接続状況の確認（Ｓ４０８）を行った結果、通信端末５０Ａとの接続を成立することができない場合には、その結果が接続不可通知として交換機４０Ａから交換機４０Ｂに対して通知される（Ｓ４０９）。そして、この通知を契機として、交換機４０Ｂから災害伝言板システム３０に対して伝言メッセージの送信を依頼する（Ｓ４１０）。この変形例として、交換機４０Ａにおいて通信端末５０Ａとの接続が不可であることが確認された（Ｓ４０８）ことを契機として、交換機４０Ａから災害伝言板システム３０に対して伝言メッセージの送信を依頼することができる。この場合、交換機４０Ａでの通信端末５０Ａの接続状況の確認結果に基づいて、交換機４０Ａからネットワーク制御装置２０に対して通知安否情報の提供要求が送信される。そして、予めネットワーク制御装置２０において保持され、交換機４０Ａからの提供要求に基づいてネットワーク制御装置２０から交換機４０Ａに対して送信される通信端末５０Ａに係る通知安否情報を用いて、交換機４０Ａから災害伝言板システム３０に対して伝言メッセージの送信依頼が送信される。この態様とする場合、交換機４０Ａと災害伝言板システム３０との間で伝言メッセージの送信に係る処理が行われたことは交換機４０Ａから交換機４０Ｂに対して接続不可通知（Ｓ４０９）と併せて通知される。このように、上記実施形態において交換機４０Ｂが行っている処理の一部を交換機４０Ａが行う態様とすることもできる。
【０１０９】
また、上記変形例に関連して、ネットワーク制御装置２０において保持される被災地域の通信端末５０（例えば通信端末５０Ａ）に係る通知安否情報を、予め通信端末５０Ａが接続する交換機（例えば交換機４０Ａ）に対して送信し、交換機４０Ａに格納する態様とすることができる。この場合には、交換機４０Ａにおいて通信端末５０Ａとの接続が不可であることが確認された（Ｓ４０８）ことを契機として、ネットワーク制御装置２０から送信され、交換機４０Ａに格納される通信端末５０Ａに係る通知安否情報を用いて、災害伝言板システム３０に対して伝言メッセージの送信依頼を行う態様としてもよい。
【０１１０】
（第４実施形態）
次に、本発明の第４実施形態について説明する。第４実施形態は、第３実施形態と比較して、第２実施形態と同様にＣＡＭＥＬ（Customized Applications for Mobile Enhanced Logic）が用いられる点が異なる。すなわち、第４実施形態では、通信方式は第３実施形態と同様にＩＭＳであり、且つ、ＣＡＭＥＬが用いられる場合についての処理の方法について説明する。
【０１１１】
上記のように、通信方式がＩＭＳであることから、本実施形態に係る移動通信システム１００におけるネットワーク制御装置２０は、第３実施形態と同様に、ＩＭＳにおけるＨＳＳとしての機能を有する。さらに、ネットワーク制御装置２０は、第２実施形態と同様に、ＣＡＭＥＬに係る制御を行うｇｓｍＳＣＦ（GSM Service Control Function）としての機能を備える。
【０１１２】
また、通信端末５０（５０Ａ，５０Ｂ）がＩＭＳを用いて安否確認システム１０に接続する際に接続する交換機４０（４０Ａ，４０Ｂ）は、ＣＳＣＦ（Cell/Session Control Function）／ＡＳ（Application Server）の機能を有する。また、本実施形態における交換機４０（４０Ａ，４０Ｂ）は、第３実施形態と同様に、物理的に別ノードであるＭＲＦ（IMS Multimedia Resource Function）を含んで構成される。さらに、交換機４０（４０Ａ，４０Ｂ）は、ＩＭ−ＳＳＦ（IMSService Switching Function）を含んで構成される。このＩＭ−ＳＳＦは、従来第２実施形態のようにＩＮの枠組みで提供してきたサービスをＩＭＳでも提供するためのＡＳとしての機能を有する。具体的には、ＩＭ−ＳＳＦは、３Ｇで好適に用いられたＣＡＭＥＬをＩＭＳに置いて利用するための装置である。この装置がネットワーク制御装置２０に含まれるｇｓｍＳＣＦとの間で通信を行うことにより、ＣＡＭＥＬを用いた通信が実現される。以下、その処理について説明する。
【０１１３】
図１５は、安否情報の通知に係る処理を説明するシーケンス図である。図１５を用いて本実施形態に係る移動通信システム１００による安否情報に係る処理について説明する。なお、本実施形態では、通信端末５０Ａは、伝言メッセージとして自由文を登録し、災害伝言板システム３０からネットワーク制御装置２０に対して、定型文の伝言メッセージを示す識別番号「０４」が通知されているとする。そして、交換機４０（４０Ａ，４０Ｂ）は、第１実施形態において説明したように、定型文の通知安否情報の音声ガイダンスを保持している場合について説明する。
【０１１４】
まず、前提条件として、通信端末５０Ａは、ネットワークの輻輳、電池切れ、あるいは所有者が電話に出られない等により、応答できない状態になっている（Ｓ５００）。また、ＣＡＭＥＬを使用して、予め交換機４０Ａにおいて「通信端末５０Ａが応答不可である」状態が、交換機４０Ａにおける着信系サービスを開始する契機となる「イベント」として登録される（Ｓ５０１）。
【０１１５】
上記の状況において、通信端末５０Ｂは、通信端末５０Ａとの通信要求を送信する（Ｓ５０２）。この通信要求は交換機４０Ｂに対して送信され（Ｓ５０３）、交換機４０Ｂでは通信要求に基づいて、ネットワーク制御装置２０に対して通信端末５０Ａに係る情報の読出要求が行われる（Ｓ５０４）。本実施形態では、この情報の読出要求に基づいて、ネットワーク制御装置２０（ＨＳＳ）において、通信端末５０Ａの接続先の交換機４０Ａを特定する情報等を含む情報読出応答を交換機４０Ｂに対して送信する（Ｓ５０５）。交換機４０Ｂは、ネットワーク制御装置２０から送信された情報読出応答を受信すると、情報読出応答に含まれる通信端末５０Ａの接続先等の情報に基づいて、通信端末５０Ａが接続する交換機４０Ａに対して接続要求を送信する（Ｓ５０６）。交換機４０Ａは、交換機４０Ｂからの接続要求にしたがって、通信端末５０Ａの移動体通信網Ｎへの接続状況の確認を行う（Ｓ５０７）。しかしながら、通信端末５０Ａは応答不可状態（Ｓ５００）であることが確認される。
【０１１６】
ここで、交換機４０Ａは、「通信端末５０Ａが応答不可である」状態を、交換機４０Ａにおける着信系サービスを開始する契機となる「イベント」として登録していた（Ｓ５０１）ことから、輻輳又は切断等により通信端末５０Ａが応答不可状態であることを「イベント」として検出する（Ｓ５０８）。そして、イベントが検出された旨を、ＣＡＭＥＬを制御するｇｓｍＳＣＦが含まれるネットワーク制御装置２０へ通知することにより（Ｓ５０９）、イベント検出により交換機４０Ａにおいて開始する処理の確認を行う。イベント検出通知を受信したネットワーク制御装置２０の通知安否情報作成部２５では、通知安否情報が作成される（Ｓ５１０）。ここで、通知安否情報作成部２５において通信端末５０Ａに関する通知安否情報を作成する際の具体的な処理は、図８〜図１０に示される処理と同様である。すなわち第１実施形態において安否情報保持部２２で保持している通信端末５０Ａの安否情報に基づいて通知安否情報が作成される（Ｓ２０７）際の処理と同様である。なお、本実施形態では、通信端末５０Ａにより定型文が登録されているため、当該定型文の識別番号「０４」が通知安否情報として選択される。そして、通知安否情報作成部２５において作成された通知安否情報は、安否情報通知部２６から交換機４０Ａに対してサービス（着信系サービス）の開始指示と共に送信される（Ｓ５１１）。
【０１１７】
交換機４０Ａは、ネットワーク制御装置２０から送信されるサービス開始指示及び通知安否情報に基づいて、伝言メッセージの送信に係る処理を行う。本実施形態では、交換機４０Ａは、定型文を示す識別番号「０４」の伝言メッセージを通信端末５０Ｂに対して送信する旨の指示がネットワーク制御装置２０から送信されるため、通信端末５０Ｂが接続する交換機４０Ｂに対して、当該識別番号に対応する伝言メッセージの送信依頼を送信する（Ｓ５１２）。そして、交換機４０Ｂに含まれるＭＲＦにより、識別番号に対応する伝言メッセージ（通知安否情報）が通信端末５０Ｂに対して出力される（Ｓ５１３）。これにより、通信端末５０Ｂにおいて、通信端末５０Ａの通知安否情報として音声化された伝言メッセージを受信する（Ｓ５１４）ことができ、通信端末５０Ｂの所有者はこの音声化された伝言メッセージを聞くことによって通信端末５０Ａの安否状況を知ることができる。これにより、通信端末５０Ａの安否確認に関する処理が終了する。
【０１１８】
なお、上記の処理では、定型文の通知安否情報を通信端末５０Ｂに対して通知する場合について説明したが、通知安否情報として自由文が指定されている場合には、交換機４０Ａがサービス開始指示を受信する（Ｓ５１１）までは図１５に示すシーケンス図と同様である。その後、図１６のシーケンス図に示すように、交換機４０Ａは、交換機４０Ｂを介して通信端末５０Ｂに送信するための伝言メッセージの送信依頼を災害伝言板システム３０に対して送信する（Ｓ５２２）。そして、災害伝言板システム３０において伝言メッセージを音声化した（Ｓ５２３）後、交換機４０Ｂを介して通信端末５０Ｂに対して送信する（Ｓ５２４ａ，Ｓ５２４ｂ）ことにより、通信端末５０Ｂにおいて当該伝言メッセージを受信することができる（Ｓ５２５）。
【０１１９】
上記の第４実施形態のように、通信方式が３ＧがＩＭＳと変更され、且つ、ＣＡＭＥＬを使用した場合であっても、第１〜第３実施形態と同様に、通信端末５０Ａの所有者が災害発生後に通信端末５０Ａを用いて通話等を行っていなくても、ネットワーク制御装置２０で保持される安否情報を元に、通信端末５０Ｂに対して通信端末５０Ａの安否情報を通知することができる。また、コアネットワークにおいてＣＡＭＥＬを使用している場合には、本実施形態の態様とすることで、コアネットワークにおける安否情報通知に係る処理の実装が容易となる。
【０１２０】
なお、上記実施形態についても、第３実施形態と同様に、交換機４０Ａにおいて行われる処理を交換機４０Ｂが行う態様に変更することができる。例えば、上記実施形態では、交換機４０Ａにおいて「通信端末５０Ａが応答不可である」状態が、交換機４０Ａにおける着信系サービスを開始する契機となる「イベント」として登録され（Ｓ５０１）、このイベントが検出された（Ｓ５０８）ことを契機として、通信端末５０Ｂに対する通知安否情報の通知に係る処理（Ｓ５０９〜）が行われる。しかし、これに対応させて、交換機４０Ｂにおいて「通信端末５０Ａが応答不可である通知を受信する」ことを「イベント」として登録しておき、交換機４０Ａからの接続不可に係る通知を契機として、通信端末５０Ｂに対する通知安否情報の通知に係る処理を行う態様としてもよい。
【０１２１】
以上、本発明の好適な実施形態について述べてきたが、本実施形態に係る移動通信システム１００は、上記の実施形態に限定されるものではなく、種々の態様を取ることが可能である。
【０１２２】
例えば、安否確認システム１０はネットワーク制御装置２０及び災害伝言板システム３０を含んで構成される構成としたが、交換機４０（４０Ａ，４０Ｂ）が安否確認システム１０の機能の一部を有する構成としてもよい。
【０１２３】
また、上記実施形態では、通信端末５０Ａに関する通知安否情報として、安否情報保持部２２において保持される通信端末５０Ａの安否情報から最優先で通知すべき通知安否情報を作成し、図９に示すような音声ガイダンスに変換して通信端末５０Ｂに通知する処理を行っているが、音声ガイダンスとして、通信端末５０Ａから送信された安否情報（例えば、通信端末５０Ａの移動に関する情報）をそのまま通知安否情報として送信する態様することもできる。また、音声ガイダンスに換えてテキストデータ等を通信端末５０Ｂに送信する態様としてもよい。なお、上記実施形態では、図９に示す通知安否情報と通知安否情報識別番号とを対応付けた表を、ネットワーク制御装置２０及び交換機４０の双方で保持する構成について説明しているが、ネットワーク制御装置２０では当該対応表を保持せず通知安否情報に対応付けられた通知安否情報識別番号のみを付与する処理を行い、交換機４０側で通知安否情報識別番号から対応付けられた通知安否情報を音声ガイダンスとして通信端末５０Ｂに通知する態様とすることもできる。
【０１２４】
また、上記実施形態では、通信端末５０Ａにおいて災害情報の受信を契機として自機の動作を一定時間記録する場合について説明したが、通信端末５０Ａにおいて自機の動作を動作情報として常時記録しておき、災害情報を受信した場合に、常時記録している動作情報の一部（例えば災害情報受信後の一定時間に関する記録）をネットワーク制御装置２０に送信する態様としてもよい。
【０１２５】
また、上記実施形態では災害伝言板システム３０を備える構成について説明したが、災害伝言板システム３０を備えない構成であってもよい。この場合、ネットワーク制御装置２０において通信端末５０Ａの動作に関する情報を通信端末５０Ａの安否情報として保持し、通信端末５０Ａとの通信要求を送信する通信端末５０Ｂに通知する。したがって、通信端末５０Ａが災害後に通話を行っていない場合でも、通信端末５０Ａの安否情報を通信端末５０Ｂに伝えることができるという上記実施形態と変わらない効果を有する。
【符号の説明】
【０１２６】
１０…安否確認システム、２０…ネットワーク制御装置、２１…端末動作受信部、２２…安否情報保持部、２３…通信要求受信部、２４…端末接続部、２５…通知安否情報作成部、２６…安否情報通知部、３０…災害伝言板システム、３１…伝言メッセージ登録部、３２…伝言メッセージ通知部、４０…交換機、５０…通信端末、５１…災害情報受信部、５２…動作記録部、５３…動作情報送信部、５４…伝言メッセージ送信部、１００…移動通信システム。
【図１】
2009303199.tif 000003
【図２】
2009303199.tif 000004
【図３】
2009303199.tif 000005
【図４】
2009303199.tif 000006
【図５】
2009303199.tif 000007
【図６】
2009303199.tif 000008
【図７】
2009303199.tif 000009
【図８】
2009303199.tif 000010
【図９】
2009303199.tif 000011
【図１０】
2009303199.tif 000012
【図１１】
2009303199.tif 000013
【図１２】
2009303199.tif 000014
【図１３】
2009303199.tif 000015
【図１４】
2009303199.tif 000016
【図１５】
2009303199.tif 000017
【図１６】
2009303199.tif 000018